(57)【要約】【課題】プレイ中にパークゴルフ用ティーを衣服のポケットやウエストバッグ，ポシェット等の入れ物に入れて携帯する場合，ティーに付着した枯れ草，土砂などで衣服のポケットやウエストバッグ，ポシェット等の入れ物の中を汚してしまう。特に雨水，露などが混じった時には汚れ具合が激しい。また，ティーを出し入れするには，入れ物の蓋をいちいち開閉しなければならず手間がかかる。【解決手段】衣服やベルトあるいはウエストバッグ，ポシェットなどの入れ物の一部にあらかじめ携帯具を装着しておき，その携帯具が具備する磁石に，底部に鉄板を取り付けたティーを吸引保持させることで，当該ティーを衣服のポケットやウエストバッグ，ポシェット等の入れ物に入れることなく携帯できる。また，ティーを磁石に着脱させるだけの簡単な操作で済む。【選択図】図５
2005073804.tif 000002
【特許請求の範囲】
【請求項１】
パークゴルフ用ティーの携帯手段として，底部に鉄板を取付けたことを特徴とするパークゴルフ用ティーと，当該ティーに取付けた鉄板を吸着保持するための磁石を具備したことを特徴とする携帯具。
【発明の詳細な説明】
【技術分野】
【０００１】
この発明はプレイ中のパークゴルフ用ティーの新たな携帯方法を可能とする，パークゴルフ用ティーとその携帯具に関するものである。
【背景技術】
【０００２】
従来のパークゴルフ用ティーの横断面図を図９に示す。ティー本体はゴムあるいは軟質プラスチックなどの弾性体でできた一体成形品である
従来，パークゴルフのプレイ中にパークゴルフ用ティーを携帯する方法としては，衣服のポケット，あるいはウエストバッグ，ポシェット等の入れ物に入れて携帯する方法が一般的である。
また，ティーショットなどでティーを使用する度に，それらから出し入れする必要がある。
【発明の開示】
【発明が解決しようとする課題】
【０００３】
従来の携帯方法ではティーに付着した枯れ草，土砂などで衣服のポケットやウエストバッグ，ポシェット等の入れ物の中を汚してしまう。特に雨水，露などが混じった時には汚れ具合が激しい。また，ティーを出し入れするには，入れ物の蓋をいちいち開閉しなければならないので手間がかかる。特に手袋を着用している場合は出し入れの操作がしにくい。
そこで，本発明は衣服のポケットやウエストバッグ，ポシェット等の入れ物の中を汚すことなく，手間をかけずに容易に出し入れの操作ができるパークゴルフ用ティーとその携帯具を提供することを課題とする。
【課題を解決するための手段】
【０００４】
以上の課題を解決するために，本発明は，底部に鉄板を取付けたことを特徴とするパークゴルフ用ティーと，当該ティーに取付けた鉄板を吸着保持するための磁石を具備したことを特徴とする携帯具を提供する。
【発明の効果】
【０００５】
携帯具は衣服の裾やベルト，あるいはウエストバッグ，ポシェットなどの入れ物の一部を挟むことで，あらかじめそれらに取付けておく。ティーの底部に取付けた鉄板を携帯具に具備した磁石に吸引保持させることで，ティーを衣服のポケットやウエストバッグ，ポシェット等の入れ物に入れることなく携帯することができる。したがって，ティーに付着した枯れ草，土砂で衣服のポケットやウエストバッグ，ポシェット等の入れ物の中を汚すことがない。
また，ティーを使用する場合はティーを携帯具に具備した磁石から着脱するだけの操作でよいので手間がかからず，手袋を着用していても容易に操作ができる。
【発明を実施するための最良の形態】
【０００６】
次に本発明を実施するための最良の形態を示す。
【実施例１】
【０００７】
本発明のパークゴルフ用ティーの一実施形態を図１に示す。パークゴルフ用ティー本体１はゴム製あるいは軟質プラスチックなどの弾性素材でできており，筒状に突起したボール保持部２と平板上のベース部３を有する。ボール保持部２とベース部３の形状は特に問わない。
ベース部３の裏面には図２に示すような平板状の鉄板４が取付けられている。打撃されて飛ばされたティーが接触して，鉄板４で他のものを損傷させることを防止するために，鉄板４はベース部外縁５から中心部方向へある間隔を隔てた位置，かつベース部３の底面と同一平面を形成するように取付けられているのが望ましいが，ベース部外縁５より外側にはみ出さない位置に取付けられていれば良い。鉄板４の形状は平板状であれば任意の形状のもので良い。
上記パークゴルフ用ティーをＡ−Ａ方向（底部）から見た斜視図を図３に示す。
携帯具の一実施形態を図４に示す。携帯具は樹脂製あるいは金属製でできているベースプレート６と可動プレート７，スプリング８，ピン９で構成されている。スプリング８はベースプレート６と可動プレート７にピン９を介して固定されている。ピン９を支点として可動プレート７を開閉することにより，ベースプレート６と可動プレート７の先端でワニ口状にものを挟むことができるようになっている。ベースプレート６と可動プレート７の形状は特に問わない。
可動プレート７の表面には平板状の磁石10が容易には剥がれないように接着等の手段で取付けられている。磁石10の形状は特に問わない。
図５にパークゴルフ用ティーと携帯具の携帯時の使用例を示す。携帯時には携帯具の可動プレート７に取付けられた磁石10にティーのベース部３の底面に取付けられた鉄板４を吸引保持させる。ティーを使用する際は，ティーを磁石から取り外すだけでよい。
【実施例２】
【０００８】
携帯具を衣服やウエストバッグ，ポシェットなどの入れ物に取付けるための形態は，図４に示すワニ口状のクリップで挟みこむ方法以外にも，図６に示すように磁石10を備えた形態具本体（Ａ）11に固定した安全ピン12を使用して取り付ける方法や，図７に示すように磁石10を備えた形態具本体（Ｂ）13を携帯具本体13の弾性を利用して挟み込めるようにＵ字状の形状に一体的に成形し，はさみ部14でベルトやウエストバッグ，ポシェットなどの入れ物の一部に挟み込んで取付ける方法もある。
【実施例３】
【０００９】
また，携帯具の別の実施形態として図８に示すように，ウエストバッグやポシェット等の入れ物15にあらかじめ平板状の磁石10を接着等の手段で取付けておき，それに図1に示すパークゴルフ用ティーの底部に取付けた鉄板４を吸引させる方法がある。
【図面の簡単な説明】
【００１０】
【図１】この発明におけるパークゴルフ用ティーの一実施形態を示す横断面図である
【図２】図１の鉄板４の斜視図である
【図３】図１をＡ−A方向から見た斜視図である
【図４】この発明における携帯具の一実施形態を示す斜視図である
【図５】この発明の使用時（携帯時）の一実施形態を示す斜視図である
【図６】この発明における携帯具のその他の実施形態を示す斜視図である
【図７】この発明における携帯具のその他の実施形態を示す斜視図である
【図８】この発明における携帯具のその他の実施形態を示す斜視図である
【図９】パークゴルフ用ティーの従来技術を示す横断面図である
【符号の説明】
【００１１】
１  パークゴルフ用ティー本体
２  ボール保持部
３  ベース部
４  鉄板
５  ベース部外縁
６  ベースプレート
７  可動プレート
８  スプリング
９  ピン
１０  磁石
１１  携帯具本体（Ａ）
１２  安全ピン
１３  携帯具本体（Ｂ）
１４  はさみ部
１５  入れ物
【図１】
2005073804.tif 000003
【図２】
2005073804.tif 000004
【図３】
2005073804.tif 000005
【図４】
2005073804.tif 000006
【図５】
2005073804.tif 000007
【図６】
2005073804.tif 000008
【図７】
2005073804.tif 000009
【図８】
2005073804.tif 000010
【図９】
2005073804.tif 000011